(57)【要約】【課題】  エレベータのかごを構成するかご側板２０は、照明装置に近い上部は明るく、照明装置から遠い下部は暗くなるという問題があった。【解決手段】  かご側板２０に、照明装置からの光を反射する複数の反射体２２を設ける。これらの反射体２２は、照明装置に近いかご側板２０の上部では光の反射量が少なくなるように、反射体２２の面積を小さくし、照明装置から遠いかご側板２０の下部では光の反射量が多くなるように、反射体２２の面積を大きくした。これにより、照明装置からの距離によるかご側板２０の明るさのアンバランスを少なくした。【選択図】      図１
2012106811.tif 000002
【特許請求の範囲】
【請求項１】
光源と、この光源によって照明されるパネルを有するものにおいて、
前記パネルには前記光源からの光を反射する複数の反射体が設けられ、これらの反射体は、前記光源に近い箇所では前記光の反射量が少なく、前記光源から遠い箇所では前記光の反射量が多くなるように配置されていることを特徴とするエレベータ等のパネル。
【請求項２】
前記複数の反射体は、面積の異なる複数の反射体であり、前記光源に近い箇所には面積の小さい反射体が多数配置され、前記光源から遠い箇所では面積の大きい反射体が多数配置されていることを特徴とする請求項１に記載のエレベータ等のパネル。
【請求項３】
前記複数の反射体は、同一面積又は面積の異なる複数の反射体であり、前記光源に近い箇所では単位面積当りの反射体の配置数が少なく、前記光源から遠い箇所では単位面積当りの反射体の配置数が多くなるように配置されていることを特徴とする請求項１に記載のエレベータ等のパネル。
【請求項４】
前記反射体の上にコーティングが施されていることを特徴とする請求項１乃至３の何れかに記載のエレベータ等のパネル。
【請求項５】
前記パネルは、エレベータの操作盤が設置されたかご側板であり、前記反射体は前記操作盤周辺とその上方部に配置されていることを特徴とする請求項１乃至４の何れかに記載のエレベータ等のパネル。
【請求項６】
前記パネルは、エレベータのかご操作盤の表面パネルであることを特徴とする請求項１乃至４の何れかに記載のエレベータ等のパネル。
【発明の詳細な説明】
【技術分野】
【０００１】
本発明は、エレベータのかご側板やドアパネルなどに使用されるパネルに関するものである。
【背景技術】
【０００２】
エレベータのかごの一例を図４により説明する。図において、１は天井、２は天井１に設けられた照明装置、３はかご側板、４はかご側板のうち、かごドア５側の袖壁６に設けられた主操作盤、７はかご側板３に設けられた副操作盤であり、身障者等が利用しやすいように配置されている。８は手摺、９は床である。
このようなかごでは、照明装置２が天井１にあるため、天井１に近い部分は明るいが、床９に近い部分は暗くなる。例えば、かご側板３の上部は明るいが、下部は暗くなるという問題がある。
【０００３】
この問題は、かご側板３だけでなく、天井１においても発生する。即ち、天井１のうち照明装置２に近い部分は明るくなり、照明装置２から離れた部分、つまり天井１の中央部分は暗くなり、天井１の全面において照度が不均一になる。
この問題を解決するために、図５に示すような装置が考えられている（特許文献１参照）。
【０００４】
図５において、１１はかご内乗客の目に触れる天井板、１２はかご側板３に固定された遮光板、１３は遮光版１２に取り付けられた蛍光灯などからなる光源、１４は遮光板１２に設けられ、光源１３からの光を光源１２から離れた天井面１１の方向に反射する反射板である。
【０００５】
この構成によれば、天井面１１に照射される光源１３からの光束には、１３ａ，１３ｂ，１３ｃのように光源１３からの光が直接照射されるものと、１３ｄ、１３ｅのように反射板１４で反射されて照射されるものがある。光源１３からの直接照射光による天井面１１の照度は、光源１３からの距離が大きいほど低くなる。反射板１４は光源１３からの距離が大きく、従って直接照射光による照度の低い方へ、反射光がより多く照射されるように設けてある。これにより、天井面１１が均一の照度で照明される。
更に、この構成をかご側板３の照射に応用すると図６のようになり、かご側板３が均一の照度で照明される。尚、図５と同一符号は同一のものを示している
【先行技術文献】
【特許文献】
【０００６】
【特許文献１】特許第３３４６０９４号公報
【発明の概要】
【発明が解決しようとする課題】
【０００７】
前記の図６の構成では、かご側板３の近くにいるかご内乗客から光源１３が直接見えてしまうため、かご内乗客に不快感を与えてしまうという問題がある。
【課題を解決するための手段】
【０００８】
本発明は、光源と、この光源によって照明されるパネルを有するものにおいて、  前記パネルには前記光源からの光を反射する複数の反射体が設けられ、これらの反射体は、前記光源に近い箇所では前記光の反射量が少なく、前記光源から遠い箇所では前記光の反射量が多くなるように配置されているものである。
【０００９】
また本発明は、前記複数の反射体は、面積の異なる複数の反射体であり、前記光源に近い箇所には面積の小さい反射体が多数配置され、前記光源から遠い箇所では面積の大きい反射体が多数配置されているものである。
【００１０】
更に本発明は、前記複数の反射体は、同一面積又は面積の異なる複数の反射体であり、前記光源に近い箇所では単位面積当りの反射体の配置数が少なく、前記光源から遠い箇所では単位面積当りの反射体の配置数が多くなるように配置されているものである。
【発明の効果】
【００１１】
本発明によれば、反射板などを使用しなくても、かご側板などのパネルの全面を均一又は均一に近い明るさにできる。また、パネルの任意の箇所の明るさを変更することもできる。
【図面の簡単な説明】
【００１２】
【図１】本発明の実施の形態を示す図であり、かご側板の正面図である。
【図２】図１のＡ−Ａ断面図である。
【図３】本発明の他の実施の形態を示す図であり、かご側板の正面図である。
【図４】エレベータのかごの一例を示す図である。
【図５】従来のかごの天井照明の説明図である。
【図６】従来のかごの天井照明をかご側板に応用した説明図である。
【発明を実施するための形態】
【００１３】
本発明の実施の形態を図１及び図１のＡ−Ａ断面図である図２により説明する。
図において、２０はかご側板、２１は鋼板からなる側板の本体、２２は反射率の高い反射インクからなる反射体であり、本体２１に印刷されている。これらの反射体２０は、光源に近いかご側板２０の上部は面積が小さく、光源から遠いかご側板２０の下部は面積が大きくなっている。これにより、光源から遠いかご側板２０の下部がより明るくなり、かご側板２０全体として、明るさが均一又は均一に近づけることができる。２３は反射体２２の表面を保護するコーティングである。
本実施の形態は、このような構成であるから、光源からの距離によるかご側板２０の明るさのアンバランスを少なくすることができる。
【００１４】
前記の実施の形態では、反射体２２が大きくて目立つように記載しているが、反射体２２を、乗客の目に付きにくいように更に微細にしてもよい。
また、前記の実施の形態では、光源からの距離に応じて、反射体２２の大きさ（面積）を変えているが、各反射体２２は同一面積とし、その配置密度（単位面積当りの配置数）を変えてもよい。また、反射体２２の面積と配置密度の両方を変えることもできる。
【００１５】
図３は本発明の他の実施の形態を示す図で、かご側板２０に副操作盤７が設置されている場合の正面図である。副操作盤７には呼び釦などが配置されているが、この図では省略している。
副操作盤７は、主に身障者等が利用する場合が多いため、なるべく目立つ方がよい。そこで、図３では、かご側板２０の副操作盤７の周辺から上端まで、反射体群３０を設けている。図３では、微細な反射体を多数使用しているため、反射体の集合を反射体群３０としている。
【００１６】
これにより副操作盤７の存在が目立つため、身障者等にも利用しやすくなる。
尚、図３の構成以外にも副操作盤７の周囲のみに反射体群３０を設けるなど、色々なパターンが可能である。
【００１７】
以上の説明では、かご側板２０の本体２１に反射体２２を印刷しているが、かごの袖壁６，かごドア５，天井板１，乗場のドアなど、各種のパネルに適用することができる。更に主操作盤４や副操作盤７の表面パネルに適用することも可能である。
【符号の説明】
【００１８】
１  天井
２  照明装置
３，２０  かご側板
４  主操作盤
５  かごドア
６  袖壁
７  副操作盤
２２  反射体
３０  反射体群
【図１】
2012106811.tif 000003
【図２】
2012106811.tif 000004
【図３】
2012106811.tif 000005
【図４】
2012106811.tif 000006
【図５】
2012106811.tif 000007
【図６】
2012106811.tif 000008